(57)【特許請求の範囲】
【請求項１】
通信相手となる無線端末からの上り信号を受信する受信部と、
前記無線端末への下り信号を送信する送信部と、
前記下り信号の送信条件を決定する処理部と
を備え、
前記処理部は、
前記無線端末からフィードバックされ前記受信部を介して取得した送信ウェイト情報及びランク情報に基づいて、前記送信ウェイト情報及び前記ランク情報の内容の組み合わせによって分類される複数の組み合わせのそれぞれについて、発生頻度を求める頻度取得処理と、
前記頻度取得処理で求めた前記発生頻度を用いて前記発生頻度の現在値を更新する更新処理と、
前記更新処理によって取得された前記発生頻度の前記現在値に応じて、前記下り信号を送信する際の送信ウェイト情報及びランク情報を決定する送信条件決定処理と
を行う無線基地局装置。
【請求項２】
請求項１に記載の無線基地局装置であって、
前記処理部は、前記頻度取得処理では、前記送信ウェイト情報及び前記ランク情報についての前記複数の組み合わせをグルーピングし、グループ単位で前記発生頻度を求める、無線基地局装置。
【請求項３】
請求項１又は請求項２に記載の無線基地局装置であって、
前記処理部は、前記更新処理によって取得された前記発生頻度の前記現在値に応じて、前記無線端末に対して前記送信ウェイト情報及び前記ランク情報のフィードバックの頻度を制御するフィードバック頻度制御処理を更に行う、無線基地局装置。
【請求項４】
請求項１乃至請求項３のうちのいずれか１項に記載の無線基地局装置であって、
前記処理部は、
前記発生頻度の前記現在値を、予め設定された規定時刻ごとに保存する保存処理と、
過去に保存された前記発生頻度を前記規定時刻ごとに読み出す読み出し処理と
を更に行い、
前記読み出し処理では、読み出す時刻と同じ時刻の情報として保存されている前記発生頻度を読み出し、読み出した前記発生頻度を前記現在値の初期値に設定する、
無線基地局装置。
【請求項５】
請求項１乃至請求項４のうちのいずれか１項に記載の無線基地局装置であって、
前記処理部は、
前記無線端末に対する伝送効率の低下を検出する伝送効率検出処理と、
前記伝送効率検出処理で前記伝送効率の低下が検出された場合には、前記送信条件決定処理による決定結果に関わらず、前記無線端末からフィードバックされる前記送信ウェイト情報及び前記ランク情報に応じて、前記無線端末へ信号を送信する際の前記送信ウェイト情報及び先記ランク情報を決定する別の送信条件決定処理と
を更に行う無線基地局装置。
【請求項６】
請求項１乃至請求項５のうちのいずれか１項に記載の無線基地局装置であって、
前記処理部は、前記無線端末が複数台の場合に、前記無線端末ごとに、前記処理のそれぞれを行う、無線基地局装置。
【請求項７】
（ａ）通信相手となる無線端末からフィードバックされる送信ウェイト情報及びランク情報を取得するステップと、
（ｂ）前記ステップ（ａ）で取得した前記送信ウェイト情報及び前記ランク情報に基づいて、前記送信ウェイト情報及び前記ランク情報の内容の組み合わせによって分類される複数の組み合わせのそれぞれについて、発生頻度を求めるステップと、
（ｃ）前記ステップ（ｂ）で求めた前記発生頻度を用いて前記発生頻度の現在値を更新するステップと、
（ｄ）前記ステップ（ｃ）によって取得された前記発生頻度の前記現在値に応じて、前記無線端末へ信号を送信する際の送信ウェイト情報及びランク情報を決定するステップと
を備える通信条件決定方法。
【発明の詳細な説明】
【技術分野】
【０００１】
本発明は、無線基地局装置及び通信条件決定方法に関する。
【背景技術】
【０００２】
３ＧＰＰ（3rd Generation Partnership Project）で規定されているＬＴＥ（Long Term Evolution）方式、ＩＥＥＥ（Institute of Electrical and Electronics Engineers）で規定されているＩＥＥＥ８０２．１６ｅ方式、及び、その後継システムであるＩＥＥＥ８０２．１６ｍ方式では、無線通信端末（以下「無線端末」とも呼ぶ）から基地局へフィードバックされるＣＱＩ（Channel Quality Indicator）、ＰＭＩ（Precoding Matrix Indicator）等に基づいて、リンクアダプテーションを行うことができる。
【０００３】
下記特許文献１には、ＬＴＥ方式においてＭＩＭＯ（Multi-Input Multi-Output）方式が適用されている場合に適切なリンクアダプテーションを行うための技術が紹介されている。
【先行技術文献】
【特許文献】
【０００４】
【特許文献１】特開２０１０−２１２８５６号公報
【発明の概要】
【発明が解決しようとする課題】
【０００５】
さて、無線端末のユーザが例えば自宅に滞在する時間帯では、無線端末の移動は無い（静止状態）、又は、その移動速度は非常に低い（準静止状態）。また、自宅において無線端末を用いた通信を行う場所は居間、自室等の限られた場所であることが多い。
【０００６】
このため、特許文献１に記載された技術のように高速移動を考慮した送信ウェイト・ランク制御、及び、リンクアダプテーション制御は、自宅滞在時のような静止状態及び準静止状態に対しては必ずしも好適であるとは言えない。
【０００７】
また、特許文献１に記載の技術は、フィードバック情報を送信するためのアップリンク無線リソースの消費や、それに伴う移動端末の送信電力消費が大きいと考えられる。
【０００８】
本発明は、無線端末が静止状態及び準静止状態にある場合にも好適な通信状態を提供しうる技術に関する。
【課題を解決するための手段】
【０００９】
本発明の一態様に係る無線基地局装置は、通信相手となる無線端末からの上り信号を受信する受信部と、前記無線端末への下り信号を送信する送信部と、前記下り信号の送信条件を決定する処理部とを備え、前記処理部は、前記無線端末からフィードバックされ前記受信部を介して取得した送信ウェイト情報及びランク情報に基づいて、前記送信ウェイト情報及び前記ランク情報の内容の組み合わせによって分類される複数の組み合わせのそれぞれについて、発生頻度を求める頻度取得処理と、前記頻度取得処理で求めた前記発生頻度を用いて前記発生頻度の現在値を更新する更新処理と、前記更新処理によって取得された前記発生頻度の前記現在値に応じて、前記下り信号を送信する際の送信ウェイト情報及びランク情報を決定する送信条件決定処理とを行う。
【発明の効果】
【００１０】
上記の一態様によれば、無線端末からフィードバックされた送信ウェイト情報及びランク情報をそれらの内容の組み合わせで以て分類し、各組み合わせごとに発生頻度を求める。このため、通信環境を詳細に分析可能である。また、発生頻度の現在値の更新により、最新の通信環境に追従可能である。そのように詳細に分析された最新の通信環境に応じて、無線端末へ信号を送信する際の送信ウェイト情報及びランク情報を決定するので、無線端末の状態（静止状態等）に依らず好適な通信状態を得ることができる。
【図面の簡単な説明】
【００１１】
【図１】実施の形態１に係る無線基地局装置が適用された通信システムを概説する模式図である。
【図２】実施の形態１に係る無線基地局装置の機能構成を例示するブロック図である。
【図３】実施の形態１に係る無線基地局装置の動作を例示するフローチャートである。
【図４】実施の形態３に係る無線基地局装置の動作を例示するフローチャートである。
【発明を実施するための形態】
【００１２】
実施の形態１．
本発明に係る無線基地局装置を具体的に説明する前に、当該無線基地局装置が適用される通信システムを図１の模式図を参照して概説する。
【００１３】
図１には、本発明に係る無線基地局装置としてフェムトセル基地局１０が例示され、当該フェムトセル基地局１０が一般住宅に設置されている場合が例示されている。図１の例では、フェムトセル基地局１０は、移動端末である無線端末１１Ａ，１１Ｂを通信相手として無線通信を行うと共に、上位装置群１２を通信相手として有線通信する。
【００１４】
なお、以下では、無線端末１１Ａ，１１Ｂを区別せずに単に「無線端末１１」と呼ぶ場合もある。また、無線端末１１の台数は、ここで例示する２台に限定されるものではない。
【００１５】
また、本発明に係る無線基地局装置はフェムトセル基地局１０に限定されるものではない。また、フェムトセル基地局１０の設置場所は一般住宅に限定されるものではない。
【００１６】
また、図１には、フェムトセル基地局１０が１階居間に在り、無線端末１１Ａ，１１Ｂが２階洋室Ｐ，Ｑにそれぞれ在り、上位装置群１２がフェムトセル基地局１０が設置されている住宅の外部（例えば通信会社の構内）に在る場合が例示されているが、これらの所在は当該例示に限定されるものではない。
【００１７】
また、各種要素の形状は図示の例に限定されるものではない。
【００１８】
図２は、フェムトセル基地局１０の機能構成を例示するブロック図である。図２の例では、フェムトセル基地局１０は、ユーザ情報登録部１０１と、処理部１０２と、上り信号受信部１１１と、下り信号送信部１１２とを含んでいる。
【００１９】
ユーザ情報登録部１０１は、フェムトセル基地局１０を定常的に使用する無線端末１１Ａ，１１Ｂに関する情報を保存する。
【００２０】
具体的には、上位装置群１２は、ユーザの契約情報に基づき、フェムトセル基地局１０とフェムトセル基地局１０を定常的に使用する無線端末１１Ａ，１１Ｂとを関連付けて予め登録しており、その登録情報を（より具体的には当該登録情報を伝達するための信号を）フェムトセル基地局１０へ送信する。無線端末１１Ａ，１１Ｂの登録情報を受け取ったフェムトセル基地局１０はその取得情報をユーザ情報登録部１０１内に保存する。
【００２１】
ここで、無線端末１１Ａ，１１Ｂの登録情報は、例えば無線端末１１Ａ，１１Ｂのそれぞれに固有なＩＤを含んだリストとして構成可能である。なお、無線端末１１に固有なＩＤとは、無線端末１１のＵＳＩＭ（Universal Subscriber Identity Module；汎用加入者識別モジュール）カード識別子、ＭＡＣ（Media Access Control）アドレス等、移動体通信システム内で無線端末１１を一意に特定できるＩＤを指す。
【００２２】
また、ユーザ情報登録部１０１は、フェムトセル基地局１０と無線端末１１Ａ，１１Ｂとの間で使用される無線チャネルＩＤと、無線端末１１の固有ＩＤとの対応関係に関する情報を保存している。
【００２３】
具体的には、フェムトセル基地局１０を介して無線端末１１と上位装置群１２との間で通信を開始する際に、フェムトセル基地局１０と無線端末１１との間で使用される無線チャネルＩＤと無線端末１１の固有ＩＤとの対応関係に関する上記情報が（より具体的には当該情報を伝達するための信号が）、上位装置群１２からフェムトセル基地局１０へ送信される。信号を受け取ったフェムトセル基地局１０はその取得情報をユーザ情報登録部１０１内に保存する。
【００２４】
なお、フェムトセル基地局１０内で無線チャネルＩＤと無線端末１１の固有ＩＤとの対応関係を管理している場合は、当該対応関係情報を上位装置群１２からフェムトセル基地局１０へ送信しなくても構わない。
【００２５】
上り信号受信部１１１は、無線端末１１から送信される上り無線信号を受信する。また、上り信号受信部１１１は、当該受信信号に対して、予め採用された所定の手法を施して、受信信号から上りフィードバック情報を取り出す。
【００２６】
上りフィードバック情報は、無線回線の品質・伝搬環境を表現した情報であり、無線基地局から無線端末へ送信する下り信号の送信条件を決定するのに利用される。上りフィードバック情報として、例えば、ＣＩＮＲ（Carrier to Interference Ratio）と、ＭＩＭＯ（Multi-Input Multi-Output）通信時の送信ウェイト情報（コードブック情報、コードブック変動情報、送信相関行列情報等）と、ランク情報とが、フェムトセル基地局１０へ通知される。
【００２７】
なお、一般に、ＣＩＮＲは「ＣＱＩ」と表記され、ＭＩＭＯ通信時の送信ウェイト情報は「ＰＭＩ」と表記され、ランク情報は「ＲＩ」（Rank Indication）と表記される場合もあるため、以降ではこれらの表記も用いることにする。
【００２８】
上り信号受信部１１１は、ＣＱＩ，ＰＭＩ，ＲＩを処理部１０２へ渡す。
【００２９】
処理部１０２は、ユーザ情報登録部１０１から無線端末１１Ａ，１１ＢのＩＤ情報を取得し、又、上り信号受信部１１１からＣＱＩ，ＰＭＩ，ＲＩを取得して、これらの情報に基づいて所定の処理を行う。なお、当該所定処理は無線端末１１ごとに行われる。
【００３０】
当該所定処理には、ＰＭＩ（すなわち送信ウェイト情報）及びＲＩ（すなわちランク情報）の受信回数を、ＰＭＩの内容とＲＩの内容の組み合わせ別に、カウントする処理が含まれる。例えば、ＰＭＩの内容がＰＭＩ１，ＰＭＩ２のいずれかを採り、ＲＩの内容がＲＩ１，ＲＩ２のいずれかを採る場合、ＰＭＩとＲＩの組み合わせは｛ＰＭＩ１，ＲＩ１｝，｛ＰＭＩ２，ＲＩ１｝，｛ＰＭＩ１，ＲＩ２｝，｛ＰＭＩ２，ＲＩ２｝の４組に分類され、当該４組のそれぞれについて無線端末１１からの報告回数がカウントされる。なお、ＰＭＩとＲＩの内容別の組み合わせを「ＰＭＩ／ＲＩ組」とも呼ぶことにする。
【００３１】
また、処理部１０２が行う上記所定処理には、ＰＭＩ／ＲＩ組が報告される上りフィードバック回数の総数をカウントする処理が含まれる。なお、当該カウント総数は後の処理で母数として利用される。
【００３２】
また、処理部１０２が行う上記所定処理には、以下に説明する周期処理Ｓ１００が含まれる。図３に周期処理Ｓ１００を例示するフローチャートを示す。
【００３３】
周期処理Ｓ１００は、予め設定された時間周期（例えば１分周期）で起動される。フェムトセル基地局１０は時計機能（換言すれば計時機能）を例えば処理部１０２に有しており、この機能を利用することによって周期処理Ｓ１００を起動可能である。なお、時計機能の利用は周期処理Ｓ１００の起動に限定されるものではない。
【００３４】
周期処理Ｓ１００が起動されると、ステップＳ１０１として、今回の起動が、規定の時刻の後の１回目の起動であるか否かが判定される。ここで、規定時刻は、任意に設定可能であり、例えば毎時００分（１時間毎）等に設定される。ステップＳ１０１での判定結果に応じて、次にステップＳ１０２又はステップＳ１０４が実行される。
【００３５】
ステップＳ１０２は、上記ステップＳ１０１において今回の起動が規定時刻後の１回目の起動であると判定された場合に実行される。ステップＳ１０２では、当該ステップＳ１０２の実行時点で保有している上りフィードバック回数平均値及び各ＰＭＩ／ＲＩ組の受信回数平均値（いずれも後述の処理によって計算される）を、前回の規定時刻に関する情報として保存する。
【００３６】
ここで、後述の説明から明らかとなるが、上りフィードバック回数平均値及び各ＰＭＩ／ＲＩ組の受信回数平均値は、各ＰＭＩ／ＲＩ組の発生頻度を求める際に利用される（後述のステップＳ１０６参照）。このため、上りフィードバック回数平均値及び各ＰＭＩ／ＲＩ組の受信回数平均値を、各ＰＭＩ／ＲＩ組の発生頻度を導出可能な情報として、例えば発生頻度関連情報と呼んでも良い。
【００３７】
ステップＳ１０１，Ｓ１０２によれば規定時刻ごとに上記発生頻度関連情報の現在値（換言すれば最新値）が保存されるが、実質的には各ＰＭＩ／ＲＩ組の発生頻度の現在値が保存されると言える。
【００３８】
ステップＳ１０２の後、ステップＳ１０３において、過去に保存された上りフィードバック回数平均値及び各ＰＭＩ／ＲＩ組の受信回数平均値を読み込む。ステップＳ１０１，Ｓ１０３によれば、規定時刻ごとに、上りフィードバック回数平均値及び各ＰＭＩ／ＲＩ組の受信回数平均値の過去値が読み出される。なお、実質的には各ＰＭＩ／ＲＩ組の発生頻度の過去値を読み出すことに相当する。
【００３９】
ここでは、上りフィードバック回数平均値及び各ＰＭＩ／ＲＩ組の受信回数平均値が１日分保存されているものとし、ステップＳ１０３では、前日付けの情報のうちで今回読み出す際の規定時刻と同時刻の情報として保存されている上りフィードバック回数平均値及び各ＰＭＩ／ＲＩ組の受信回数平均値を読み出す。そして、読み出した上りフィードバック回数平均値及び各ＰＭＩ／ＲＩ組の受信回数平均値を、これらの現在値に上書き設定する。これにより、読み出した上りフィードバック回数平均値及び各ＰＭＩ／ＲＩ組の受信回数平均値を、初期値として、後続のステップＳ１０５が実行される。
【００４０】
なお、ステップＳ１０２，Ｓ１０３に関し、上りフィードバック回数平均値、及び、各ＰＭＩ／ＲＩ組の受信回数平均値を、例えば１週間分を保存するようにしても良い。この例によれば、例えば、前週の同じ曜日の同じ時刻の情報を読み出して利用することも可能である。
【００４１】
ステップＳ１０４は、上記ステップＳ１０１において今回の起動が規定時刻後の１回目の起動ではないと判定された場合、又は、上記ステップＳ１０３の後に、実行される。ステップＳ１０４では、上りフィードバック回数、及び、各ＰＭＩ／ＲＩ組の受信回数について、周期処理Ｓ１００の前回起動時からの回数をカウントする。
【００４２】
その後、ステップＳ１０４でのカウント値と、既に保存している上りフィードバック回数平均値、及び、各ＰＭＩ／ＲＩの組の受信回数平均値を用いて、各平均値を更新する（ステップＳ１０５）。平均値の更新は例えば、次式（１）のように忘却係数を用いて行っても良い。
【００４３】
【数１】
0005484304.tif 000002
【００４４】
ステップＳ１０５において上りフィードバック回数平均値、及び、各ＰＭＩ／ＲＩ組の受信回数平均値を更新した後、各ＰＭＩ／ＲＩ組の受信回数平均値を上りフィードバック回数平均値で除算することによって、各ＰＭＩ／ＲＩ組の発生頻度を求める（ステップＳ１０６）。
【００４５】
なお、上記のようにステップＳ１０５によって各ＰＭＩ／ＲＩ組の発生頻度が求められ、又、ステップＳ１０４，Ｓ１０５によって当該発生頻度が更新される。
【００４６】
その後、複数のＰＭＩ／ＲＩ組のうちで発生頻度が、予め規定された閾値Ａを超えるＰＭＩ／ＲＩ組が存在するか否かを判定する（ステップＳ１０７）。
【００４７】
ステップＳ１０７の上記条件を満たすＰＭＩ／ＲＩ組が存在しない場合、上りフィードバックの頻度を通常の頻度（換言すれば、予め規定された所定頻度）に設定すると共に、下り信号の送信時のＰＭＩ／ＲＩを無線端末１１からフィードバックされるＰＭＩ／ＲＩに従って変化させる（追従させる）（ステップＳ１０８）。このような通信条件を「モード１」と呼ぶこととする。
【００４８】
他方、ステップＳ１０７の上記条件を満たすＰＭＩ／ＲＩ組が存在する場合、ステップＳ１０９において、複数のＰＭＩ／ＲＩ組のうちで発生頻度が、予め規定された閾値Ｂ（Ｂ＞Ａ）を超えるＰＭＩ／ＲＩ組が存在するか否かを判定する。
【００４９】
ステップＳ１０９の上記条件を満たすＰＭＩ／ＲＩ組が存在しない場合、上りフィードバック頻度を予め規定された頻度（例えば上記の通常の頻度の百分の１の値）に減少させる一方、下り送信時のＰＭＩ／ＲＩは、上記モード１と同様に、無線端末１１からフィードバックされるＰＭＩ／ＲＩに従って変化させる（ステップＳ１１０）。このような通信条件を「モード２」と呼ぶこととする。
【００５０】
他方、ステップＳ１０９の上記条件を満たすＰＭＩ／ＲＩ組が存在する場合、上りフィードバック頻度を予め規定された頻度（例えばモード２と同じ値）に減少させると共に、下り送信のＰＭＩ／ＲＩをステップＳ１０９の上記条件を満たすＰＭＩ／ＲＩ組に固定する（ステップＳ１１１）。このような通信条件を「モード３」と呼ぶこととする。
【００５１】
ここで、無線端末１１が静止状態又は準静止状態にある場合、無線端末１１とフェムトセル基地局１０との間の通信環境（換言すれば通信状態）は比較的安定しているので、特定のＰＭＩ／ＲＩ組又はこれの近傍のＰＭＩ／ＲＩ組に発生頻度が集中する。これに対し、無線端末１１が移動している場合、無線端末１１とフェムトセル基地局１０との間の通信環境は変動するので、発生頻度の集中度合いが低くなる。
【００５２】
かかる点に鑑み、上記ステップＳ１０７，Ｓ１０９では２つの閾値Ａ，Ｂを使って発生頻度を検証することにより、無線端末１１がどのような状態にあるかを３段階で評価する。すなわち上記３つのモードの例では、モード３が静止状態に対応し、モード２が準静止状態に対応し、モード１が移動状態に対応する。但し、モードの数が３つに限定されるものではない。
【００５３】
上記ステップＳ１０７〜Ｓ１１１によれば、ステップＳ１０５，１０６で取得された発生頻度の現在値に応じて、無線端末１１へ信号を送信する際のＰＭＩ／ＲＩ組が決定される。
【００５４】
処理部１０２は、下り送信時のＰＭＩ／ＲＩ組が確定した後は、ＣＱＩの値に従って送信ストリーム毎で又は送信ストリーム共通で適応変調処理を行い、ＭＣＳ（Modulation and Coding Scheme）レベルを決定し、下り送信部１１２に下り送信条件の情報、より具体的にはＰＭＩ／ＲＩ／ＭＣＳレベル情報を通知する。
【００５５】
下り送信部１１２は、処理部１０２から通知された下り送信条件情報に基づいて、無線端末１１への下り無線信号を送信する。
【００５６】
なお、フェムトセル基地局１０による上記各種機能は、ハードウェア、ソフトウェア（換言すればマイクロコンピュータによるプログラム処理）、又は、こられの組み合わせによって実現可能である。また、上記での各種情報の保存や読み出しは、半導体メモリやハードディスク等を利用して実現可能である。
【００５７】
上記周期処理Ｓ１００によれば、無線端末１１からフィードバックされた各ＰＭＩ／ＲＩ組ごとにその発生頻度を求める（上記ステップＳ１０６参照）。このため、無線端末１１から順次送られるＰＭＩとＲＩを組み合わせることなく、又、ＰＭＩ及びＲＩの瞬時値のみを順次利用する場合に比べて、通信環境を詳細に分析可能である。また、発生頻度の現在値の更新により（上記ステップＳ１０４，Ｓ１０５参照）、最新の通信環境に追従可能である。そのように詳細に分析された最新の通信環境に応じて、無線端末１１へ下り信号を送信する際の送信ウェイト情報及びランク情報を決定するので（上記ステップＳ１０７〜Ｓ１１１参照）、無線端末１１の状態（静止状態等）に依らず好適な通信状態を得ることができる。
【００５８】
また、上記モード３では下り送信のＰＭＩ／ＲＩ組を固定する。このため、ＰＭＩ／ＲＩ組の値の変化が少なくなるので、フェムトセル基地局１０において、ＣＱＩ情報の平均化精度を上げる効果も期待できる。
【００５９】
また、上記ステップＳ１０１〜Ｓ１０３によれば、実質的に各ＰＭＩ／ＲＩ組の発生頻度の保存及び読み出しが行われ、かかる情報の保存及び読み出しは規定時刻ごとに行われる。したがって、各ＰＭＩ／ＲＩ組の発生頻度が規定時間単位で管理される。このため、ユーザの生活パターン（換言すればある時刻に滞在する場所（部屋）の確率）に応じた無線端末１１の状態（静止状態等）に基づいて、フェムトセル基地局１０から無線端末１１への下り信号のＰＭＩ／ＲＩを制御することができる。
【００６０】
また、上記モード１〜３の例によれば、処理部１０２は無線端末１１に対して、発生頻度の現在値に応じて、上りフィードバックの頻度（従ってＰＭＩ及びＲＩのフィードバック頻度）を制御する。かかる制御によれば、例えば、フィードバック情報を送信するためのアップリンク無線リソースの消費や、それに伴う無線端末１１の送信電力消費を抑えることができる。
【００６１】
なお、無線端末１１の台数は１台でも複数台でも良いが、無線端末１１が複数台の場合に上記のように無線端末１１Ａ，１１Ｂごとに上記各種処理を行うことによって、各無線端末１１Ａ，１１Ｂのそれぞれについて上記各種効果を得ることができる。
【００６２】
実施の形態２．
実施の形態１で説明した各ＰＭＩ／ＲＩ組の発生頻度を求める処理を、特性が近い（換言すれば内容が予め規定された範囲内にある）ＰＭＩ／ＲＩ組どうしをグルーピングし、そのグループ単位で上記発生頻度を求めるように変形しても構わない。
【００６３】
この場合、例えば、各グループ内で最大の発生頻度を示すＰＭＩ／ＲＩ組をそのグループの代表のＰＭＩ／ＲＩ組として扱うと共に、各グループに属する全てのＰＭＩ／ＲＩ組の発生頻度を合計した値を上記グループ代表のＰＭＩ／ＲＩ組の発生頻度として扱うことによって、各グループ代表のＰＭＩ／ＲＩ組に対してステップＳ１０７以降の処理を行えば良い。
【００６４】
無線端末１１からフィードバックされるＰＭＩとＲＩの内容の組み合わせが多数ある場合、無線端末１１側で選択されるＰＭＩ又はＲＩが僅かに変化しただけでも、異なる組み合わせに対して発生頻度がカウントされることになる。このため、ＰＭＩ／ＲＩ組の発生頻度の傾向を把握しづらくなる場合が生じうる。
【００６５】
これに対し、上記グルーピングによって、発生頻度の傾向を顕在化させることが可能になる。これにより、上記モード１〜３が頻繁に遷移するのを回避することができる。
【００６６】
実施の形態３．
実施の形態３では、処理部１０２に追加可能な機能を、図４のフローチャートを参照して説明する。なお、図４に記載の処理Ｓ２００は、ＭＣＳレベルを決定した後の処理を説明するものである。
【００６７】
当該処理Ｓ２００では、まず、各無線端末１１の現在の通信条件が上記モード１であるか否かを判定する（ステップＳ２０１）。ステップＳ２０１においてモード１であると判定された場合には当該処理Ｓ２００を終了する。他方、モード１以外であると判定された場合、現在の下り送信伝送効率を計算する（ステップＳ２０２）。伝送効率は例えば次式（２）によって計算可能である。
【００６８】
【数２】
0005484304.tif 000003
【００６９】
なお、式（２）に関し、例えば無線端末１１に対して複数のサブバンドを割り当てて複数のＭＣＳレベルで送信を行う場合、割り当てるサブバンド数に比例して伝送効率を平均化しても良い。
【００７０】
ここで、上記モード２又はモード３への遷移時（ステップＳ１０９〜Ｓ１１１参照）に、伝送効率を予め計算しておく。その上で、当該遷移時の伝送効率に関して、例えば次式（３）によって伝送効率の変化量を計算する（ステップＳ２０３）。
【００７１】
【数３】
0005484304.tif 000004
【００７２】
そして、ステップＳ２０３で計算された伝送効率変化量が、予め規定された閾値Ｃを下回るか否かを判定し（ステップＳ２０４）、下回る場合には処理Ｓ２００を終了し、下回らない場合には通信条件をモード１に遷移させる（ステップＳ２０５）。
【００７３】
なお、処理Ｓ２００は例えば、周期的に起動しても構わないし、無線端末１１に対するＭＣＳレベルを決定する毎に実施しても構わない。
【００７４】
上記ステップＳ２０２〜Ｓ２０４によれば、無線端末１１に対する伝送効率の低下が検出される。例えば無線端末を持っているユーザが移動することによって、伝送効率は低下する。伝送効率の低下が検出された場合には、上記処理Ｓ１００（図３参照）によって決定されたモードには関わらず、モード１への遷移が実行される。モード１によれば、既述のように、下り信号の送信時のＰＭＩ／ＲＩを無線端末１１からフィードバックされるＰＭＩ／ＲＩに従って変化させる（追従させる）。つまり、無線端末１１が移動している場合に適したモードに切り替えられる。このように、伝送効率の低下に伴って、その現状に即した通信を適用するので、伝送効率の更なる低下を防ぐことができる。
【符号の説明】
【００７５】
１０  フェムトセル基地局（無線基地局装置）、１１，１１Ａ，１１Ｂ  無線端末、１０２  処理部、１１１  上り信号受信部、１１２  下り信号送信部。
【図１】
0005484304.tif 000005
【図２】
0005484304.tif 000006
【図３】
0005484304.tif 000007
【図４】
0005484304.tif 000008